(57)【要約】【課題】複製回数の制限されたコンテンツを他の格納媒体に移動し得るコンテンツ管理方法及びその装置を提供する。【解決手段】コンテンツを入力する入力部と、コンテンツの複製制御情報および移動制御情報を分析して他の格納媒体への移動を制御する制御部と、を備えてコンテンツの移動装置を構成して、使用者が一次格納媒体４２０から二次格納媒体５００へのコンテンツの移動を要求すると、コンテンツの複製制御情報および移動制御情報を分析し、この分析結果によってコンテンツを二次格納媒体５００に移動する。【選択図】  図１
2006073018.tif 000002
【特許請求の範囲】
【請求項１】
（ａ）コンテンツの保護に関係する制御情報が、コンテンツの複製が許可されているか否かを示す複製制御情報と、この複製制御情報から区別されたコンテンツの移動が許可されているか否かを示す移動制御情報との何れであるかを判断する段階、
（ｂ）前記制御情報が前記複製制御情報であり、かつ、この複製制御情報が前記コンテンツの複製を許可していることを示す場合、前記コンテンツを複製可能とする、一方、前記制御情報が前記移動制御情報であり、かつ、この移動制御情報が前記コンテンツの複製の移動を許可していることを示す場合、前記コンテンツを移動可能とするよう前記（ａ）段階の結果により前記コンテンツの保護を制御する段階
から構成されることを特徴とするコンテンツ管理方法。
【請求項２】
前記（ｂ）段階は、
前記制御情報が前記複製制御情報であり、かつ、この複製制御情報が前記コンテンツの複製が許可しないないことを示す場合、前記コンテンツを複製不可とし、前記制御情報が前記移動制御情報であり、かつ、この移動制御情報が前記コンテンツの移動を許可していないことを示す場合、前記コンテンツを移動不可とするよう前記コンテンツの保護を制御する
ことを特徴とする請求項１記載のコンテンツ管理方法。
【請求項３】
（ｃ）前記制御情報が移動制御情報であり、かつ、この移動制御情報が前記コンテンツの移動を許可していることを示す場合、前記コンテンツの移動が実行された後、格納媒体に格納された前記コンテンツを削除する段階
をさらに備えることを特徴とする請求項１記載のコンテンツ管理方法。
【請求項４】
（ｃ）前記制御情報が移動制御情報であり、かつ、この移動制御情報が前記コンテンツの移動を許可していることを示す場合、前記コンテンツの移動が実行された後、格納媒体に格納された前記コンテンツを使用不可とする操作を実行する段階
をさらに備えることを特徴とする請求項１記載のコンテンツ管理方法。
【請求項５】
前記コンテンツは、少なくとも１つのデータフォーマットにより構成され、
前記移動制御情報は、前記データフォーマットのヘッダー部分に含まれる
ことを特徴とする請求項１記載のコンテンツ管理方法。
【請求項６】
前記（ｂ）段階は、
（ｂ１）前記移動制御情報が前記コンテンツの移動を許可していることを示す場合、前記コンテンツを移動する他の装置との認証を実行する段階、
（ｂ２）前記（ｂ１）段階の結果、前記コンテンツを移動するか否かを決定し、前記認証が成功したときにのみ前記コンテンツの移動を可能とする段階
から構成されることを特徴とする請求項１記載のコンテンツ管理方法。
【請求項７】
前記認証は、固有のキー値を用いることにより実行される
ことを特徴とする請求項６記載のコンテンツ管理方法。
【請求項８】
前記（ｂ）段階は、
（ｂ１）前記コンテンツの移動が許可されている場合、前記コンテンツを前記他の装置に格納可能か否かを判断する段階、
（ｂ２）前記（ｂ１）段階の結果、前記他の装置に前記コンテンツを移動するか否かを決定する段階
から構成されることを特徴とする請求項１記載のコンテンツ管理方法。
【請求項９】
前記（ｂ）段階は、
（ｂ１）前記他の装置が接続されているか否かを確認する段階、
（ｂ２）前記（ｂ１）段階の結果、前記他の装置に前記コンテンツを移動するか否かを決定する段階
から構成されることを特徴とする請求項１記載のコンテンツ管理方法。
【請求項１０】
前記（ｂ２）段階は、
（ｂ２−１）前記（ｂ１）段階の結果、前記他の装置が接続されている場合、前記他の装置との認証を実行する段階、
（ｂ２−２）前記認証が成功したとき前記コンテンツを移動する段階
から構成されることを特徴とする請求項９記載のコンテンツ管理方法。
【請求項１１】
前記（ｂ２−２）段階は、
（ｂ２−２−１）前記認証が成功した場合、前記コンテンツが他の装置に格納可能か否かを判断する段階、
（ｂ２−２−２）前記（ｂ２−２−１）段階の結果、前記他の装置へ前記コンテンツを移動するか否かを決定する段階
とから構成されることを特徴とする請求項１０記載のコンテンツ管理方法。
【請求項１２】
前記他の装置は、ＩＥＥＥ１３９４またはＵＳＢを介して連結される
ことを特徴とする請求項９記載のコンテンツ管理方法。
【請求項１３】
前記コンテンツは、前記移動制御情報が前記コンテンツの移動を許可していることを示す場合、前記他の装置へコンテンツを移動する一次格納媒体から読み出され、
前記他の装置を含む前記一次格納媒体は、デジタルＴＶ放送受信機、記録装置、ＰＣ、ディスク装置、および、ＤＶＨＳのうちの何れかである
ことを特徴とする請求項１記載のコンテンツ管理方法。
【請求項１４】
前記他の装置は、デジタルＴＶ放送受信機または録画装置である
ことを特徴とする請求項１３記載のコンテンツ管理方法。
【請求項１５】
（ｃ）前記制御情報が前記複製制御情報であり、かつ、この複製制御情報が前記コンテンツの複製を許可していることを示す場合、前記複製制御情報を更新し、前記コンテンツの複製が実行されることを反映する段階
をさらに備えることを特徴とする請求項１記載のコンテンツ管理方法。
【請求項１６】
（ａ）コンテンツの保護に関係する制御情報が、コンテンツの複製が許可されているか否かを示す複製制御情報と、この複製制御情報とは異なりコンテンツの移動が許可されているか否かを示す移動制御情報との何れであるかを判断する段階、
（ｂ）前記制御情報が前記複製制御情報であり、かつ、この複製制御情報が前記コンテンツの複製を許可していることを示す場合、前記コンテンツを複製可能とする、一方、前記制御情報が前記移動制御情報であり、かつ、この移動制御情報が前記コンテンツの複製の移動を許可していることを示す場合、前記コンテンツを移動可能とするよう前記（ａ）段階の結果により前記コンテンツの保護を制御する段階
とを備え、
前記コンテンツの複製が許可されている場合、前記複製制御情報が更新されて、その状態を反映する、一方、前記制御情報が前記移動制御情報であり、かつ、この移動制御情報が前記コンテンツの移動を許可していることを示す場合、前記コンテンツの移動が実行された後、前記格納媒体に格納された前記コンテンツを使用不可とする操作が実行される
ことを特徴とするコンテンツ管理方法。
【請求項１７】
コンテンツを格納する格納部と、
前記格納部に格納された前記コンテンツの保護に関係する制御情報は、コンテンツの複製が許可されているか否かを示す複製制御情報と、この複製制御情報から区別されたコンテンツの移動が許可されているか否かを示す移動制御情報との何れであるかを判断し、前記制御情報が複製制御情報であり、かつ、この複製制御情報が前記コンテンツの複製を許可していることを示す場合、前記コンテンツを他の装置に複製可能とする、一方、前記制御情報が前記移動制御情報であり、かつ、この移動制御情報が前記コンテンツの移動を許可していることを示す場合、前記コンテンツを前記他の装置へ移動可能とするよう前記判断の結果により前記コンテンツの保護を制御する制御部と
から構成されることを特徴とするコンテンツ管理装置。
【請求項１８】
前記他の装置と接続するためのインターフェース部
をさらに備えることを特徴とする請求項１７記載のコンテンツ管理装置。
【請求項１９】
前記インターフェース部は、ＩＥＥＥ１３９４またはＵＳＢを介して接続される
ことを特徴とする請求項１８記載のコンテンツ管理装置。
【請求項２０】
外部媒体から前記コンテンツを受信するための受信部
をさらに備えることを特徴とする請求項１８記載のコンテンツ管理装置。
【請求項２１】
前記外部媒体は、放送局、放送衛星、および、ケーブルのうちの何れかである
ことを特徴とする請求項２０記載のコンテンツ管理装置。
【請求項２２】
前記コンテンツ管理装置は、デジタルＴＶ放送受信機、録画装置、ＰＣ、ディスク装置、および、ＤＶＨＳのうちの何れかである
ことを特徴とする請求項１７記載のコンテンツ管理装置。
【請求項２３】
前記他の装置は、デジタルＴＶ受信機または録画装置である
ことを特徴とする請求項１７記載のコンテンツ管理装置。
【発明の詳細な説明】
【技術分野】
【０００１】
本発明は、コンテンツの複製防止技術に係るもので、詳しくは、複製回数の制限されたコンテンツを他の格納媒体に移動し得るコンテンツの管理装置及びその方法に関するものである。
【背景技術】
【０００２】
最近、コンピュータ技術及び通信技術の急速な発展に伴って、情報通信は、学術及び事業活動分野だけでなく、日常生活でも非常に重要となっている。特に、情報化時代を迎えて世界各国は争って超高速通信網を構築しており、今後、多量の情報が超高速通信網を通じて消費者に供給、伝達及び消費されることが予想される。当然、それらの情報の相当な部分が著作権法の保護対象になる。
【０００３】
従来のアナログ方式を利用する録音機、録画機及びコピー機は、原本と複写したものとの間に質的な差があるだけでなく、費用、時間及びコピーの便利性の面で劣るため、実際には著作権にはあまり大きな影響を与えなかった。
【０００４】
しかし、インターネットのような情報通信媒体で配布される著作物は、複写物も原本もほとんど同じで、特に、インターネットを通じてテキストだけでなく画像は勿論で、音声までも全世界に伝送できるために、著作権に大きい影響を与えることになる。
【０００５】
また、放送分野においても、最近、デジタル圧縮技術が普遍化し、低廉な受信機が開発されてＴＶ伝送方式がアナログからデジタルに転換されつつあるため、放送を通じたコンテンツの複製が著作権に大きな影響を与えている。
【０００６】
このように、映像、レコードなどあらゆる著作物がデジタル化される情報化時代では、知的財産権の侵害が一層容易かつ多様な形態で行われ、知的財産権侵害の摘発や救済が困難であるという問題が発生している。
【０００７】
従って、知的財産権の侵害を防止し、侵害した者を摘発する技術を開発し、著作権者を保護しないと、著作意欲が喪失されるとともに知的財産権の流通も阻害されるので、著作権関連業界では、著作物を保護するための技術的手段として複製防止技術の開発に全力を尽くしている状況である。
【０００８】
現在、複製防止のための一般技術としては、コンテンツのヘッダー部分に複製制御コードを挿入することで複製回数を制限する方法が挙げられる。このような技術は、デジタル放送の大衆化に伴って放送コンテンツにも適用される予定で、一部では既に適用されている。
【０００９】
このような従来のデジタル放送受信機の複製装置においては、図５に示したように、放送局から伝送されたコンテンツを受信するＴＶ放送受信機１００と、受信されたコンテンツを格納する録画装置２００とにより構成されている。
【００１０】
そして、ＴＶ放送受信機１００は、コンテンツを受信する受信部１１０と、受信部１１０で受けたコンテンツを格納する一次格納媒体１２０とを備えており、一方、録画装置２００は、一次格納媒体１２０から転送されたコンテンツを格納する二次格納媒体２１０を備えている。
【００１１】
以下、このように構成された従来デジタル放送受信機の複製装置の動作を図６に基づいて説明する。
【００１２】
先ず、ＴＶ放送受信機１００の受信部１１０は、放送衛星やケーブルのような媒体を介して伝送されたコンテンツを受信して自身に内蔵された一次格納媒体１２０に格納する。この時点でコンテンツの複製可能回数は１回減少される。したがって、１回だけ複製可能なコンテンツは一次格納媒体に格納しただけで二次格納媒体への複製は不可能である。したがって、実質的に複製不能である。
【００１３】
格納方式は、ＴＶ放送受信機１００の構成によって相違するが、使用者の格納命令に従って格納するか、または、自動的に所定時間の間隔で古くなったコンテンツを削除し、新しいコンテンツを格納するようになっているものある。
【００１４】
後に、使用者がコンテンツの複製を要求すると、ＴＶ放送受信機１００は一次格納媒体１２０からコンテンツを読み出し、コンテンツのヘッダー部分に挿入された次のような複製制御コードを分析して複製可能回数を判断する。
【００１５】
複製制御コードは、図７に示したように、データパケットのヘッダー部分の同期部（ｓｙ）として使用される４ビット中の２ビットからなるものである。その設定値（００、０１、１０、１１）によって、無限に複製が可能なもの、有限（１＜Ｎ＜∞）複製が可能なもの、１回だけ複製可能なもの、全く複製不可能なものに区分されている。同期部（ｓｙ）の他の１ビットは、データパケットを含むデータストリームを暗号化する時、データストリームの暗号化コードを変更するために用いられ、残りの１ビットである最下位ビットは予備ビットであって、使用されない。
【００１６】
複製制御コードを分析して複製可能回数が判断されると、ＴＶ放送受信機１００は、判断された複製可能回数に従ってコンテンツの複製動作を行う。
【００１７】
すなわち、図６に示したように、コンテンツの複製可能回数が無限に設定されていると（Ｓ２０１）、ＴＶ放送受信機１００は、複製可能回数を変更せずにコンテンツを二次格納媒体２１０に複製する（Ｓ２０２、Ｓ２０３）。複製可能回数が所定回数に設定されていると（Ｓ２０４）、複製可能回数を１回減少させた後、二次格納媒体２１０に複製する（Ｓ２０５、Ｓ２０６）。
【００１８】
このとき、複製可能回数が複製不可に設定されていると（Ｓ２０７）、ＴＶ放送受信機１００は、使用者の複製要求にもかかわらずに、コンテンツを二次格納媒体２１０に複製しない（Ｓ２０７）。
【発明の開示】
【発明が解決しようとする課題】
【００１９】
然るに、このような従来デジタル放送受信機の複製装置においては、一次格納媒体の容量が制限され、限度があるので、コンテンツに設定された複製回数が複製不可に制限されているものが多いと、使用者がコンテンツを長期間にわたって保管、または、編集しようとする場合に、一次格納媒体から二次格納媒体に複製及び編集することが不可能になるという不都合な点があった。
【００２０】
本発明は、このような従来の課題に鑑みてなされたもので、コンテンツの格納個数を増加させなくても、コンテンツの格納位置を移動することで上記不都合を解消することができるコンテンツの管理装置及びその方法を提供することを目的とする。
【００２１】
かつ、本発明の他の目的は、複製回数が制限されているコンテンツを他の格納媒体に效果的に移動し得る、コンテンツの管理装置及びその方法を提供しようとする。
【課題を解決するための手段】
【００２２】
このような目的を達成するため、本発明に係るコンテンツの移動装置は、コンテンツを入力する入力部を有するとともに、コンテンツの複製制御コードを分析して他の格納媒体への移動を制御する制御部を備えたことを特徴とする。
【００２３】
目的を達成する本発明に係るコンテンツの移動方法は、使用者が一次格納媒体から二次格納媒体へのコンテンツの移動を要求すると、コンテンツの複製制御コードを分析し、その分析結果によってコンテンツの複製制御コードを変更してコンテンツを二次格納媒体に格納することを特徴とする。
【００２４】
また、目的を達成するための本発明に係るコンテンツの他の移動方法は、使用者が一次格納媒体から二次格納媒体へのコンテンツの移動を要求すると、コンテンツの移動決定ビットの設定値を読み出し、その設定値によりコンテンツの移動が可能であるか否かを判断し、判断結果、コンテンツが移動可能であると、一次格納媒体から二次格納媒体にコンテンツを移動することを特徴とする。
【発明の効果】
【００２５】
以上説明したように、本発明に係るコンテンツ管理装置及びその方法においては、コンテンツの個数を増加させずに、コンテンツの格納位置を移動し得るという効果がある。
【発明を実施するための最良の形態】
【００２６】
以下、本発明の実施の形態を図面を用いて説明する。
本発明は本来複製不可能なコンテンツには適用できない。少なくとも１回複製可能なコンテンツに適用する。本発明に係るコンテンツの移動装置は、図１に示したように、放送局から送られてきたコンテンツの複製制御コードを分析し、その分析結果に従って複製制御コードを変換して出力するＴＶ放送受信機４００と、ＴＶ放送受信機４００とインターフェース（未図示）を介して連結され、コンテンツの入力を受けて格納する二次格納媒体５００とを備えている。
【００２７】
本ＴＶ放送受信機４００は、コンテンツを受信する受信部４１０と、受信部４１０を介して受信されたコンテンツを臨時に格納する一次格納媒体４２０と、一次格納媒体４２０に格納されたコンテンツの複製制御コードを分析する複製制御コード分析部４３０と、一次格納媒体４２０からコンテンツの抽出、削除及びコード変換のようなコンテンツの移動に必要な各構成部の動作を制御する制御部４４０と、制御部４４０の制御に従ってコンテンツの複製制御コードを変換する複製制御コード変換部４５０と、一次格納媒体４２０から抽出されて複製制御コードが変換されたコンテンツを二次格納媒体５００に転送するデータ出力部４６０とを備えている。
【００２８】
また、二次格納媒体５００は、ＴＶ放送受信機４００に内蔵してもよく、または、外部に設けてケーブルのような連結手段により連結するようにしてもよく、さらには、他の装置（例えば、録画機能を行うＶＣＲなど）に含めてもよい。
【００２９】
以下、このように構成された本発明に係るデジタル放送受信機の複製装置の動作を図２及び図３に基づいて説明する。
【００３０】
先ず、ＴＶ放送受信機４００の受信部４１０は、放送衛星やケーブルのような媒体から送られてきたコンテンツを受信して一次格納媒体４２０に格納する。この時、コンテンツの複製可能回数は１回減少する。
【００３１】
次いで、使用者がコンテンツの移動を要求すると、制御部４４０は、ＴＶ放送受信機４００と二次格納媒体５００とが連結されているか否かを確認する（Ｓ５０１、Ｓ５０２）。
【００３２】
その結果、双方が連結されていると、制御部４４０は、コンテンツのヘッダー部分に挿入された複製制御コードを分析して、二次格納媒体５００を認証すべきかどうかを判断する（Ｓ５０３）。
【００３３】
すなわち、複製制御コードの分析結果によって、無限に複製可能なコンテンツの場合は無限に複製ができるために認証の必要はないが、有限複製可能であるとき、もしくは、複製回数が制限されたコンテンツの場合は、制限された複製回数を守るために必ず認証が必要となる。
【００３４】
従って、制御部４４０は、複製制御コードが無限に複製可能に設定された場合は、一次格納媒体４２０に格納されたコンテンツを二次格納媒体５００に移動させるための移動操作を直ちに行うが（Ｓ５０６、Ｓ５０７）、複製制御コードが有限複製可能、または、複製不可（１回のみ可能）である場合は、ＴＶ放送受信機４００と二次格納媒体５００との間で相互認証を行う（Ｓ５０４、Ｓ５０５）。この時、ＴＶ放送受信機４００と二次格納媒体５００は、それぞれ固有のキー値により相互に認証を行う。そのため、もし、何れか一方側が認証要求を拒絶して認証が成功しないと、コンテンツの移動が不可能になる（Ｓ５０８）。
【００３５】
次いで、ＴＶ放送受信機４００と二次格納媒体５００との間の相互認証が成功裏に終わると（Ｓ５０５）、制御部４４０は、二次格納媒体５００に記録可能な状態であるときだけ、一次格納媒体４２０に格納されたコンテンツを次のように二次格納媒体５００に移動させる移動段階を行う（Ｓ５０６、Ｓ５０７）。
【００３６】
以下、移動段階（Ｓ５０７）を図３に基づいて説明する。
先ず、複製制御コードに従ってコンテンツのヘッダー部分に挿入された複製制御コードを分析して複製可能回数を判断した後、その判断された複製可能回数に従って移動動作が行われる。
【００３７】
例えば、複製制御コードが無限に複製可能（複製可能回数をＮとすると、Ｎ＝∞）であると、複製制御コードは複製制御コード変換部４５０により変更されない（Ｓ６０１、Ｓ６０２）。次いで、制御部４４０は、データ出力部４６０を介してコンテンツを二次格納媒体５００に転送するとともに（Ｓ６０３）、一次格納媒体４２０に記録された原本を削除して、コンテンツの移動を完了する（Ｓ６１０）。本明細書においてコンテンツの移動とは一旦コンテンツを他の格納媒体に移した後、元のコンテンツをそれがあった格納媒体から削除することを意味する。したがって、実質的に複製ではなく、単なる一般的意味における移動にすぎない。
【００３８】
一方、複製制御コードが有限複製可能（Ｎ＝ｎ）であると、一次格納媒体４２０に格納されたコンテンツの複製制御コードが、複製制御コード変換部４５０により１回増加される（Ｓ６０４、Ｓ６０５）。次いで、制御部４４０は、変換されたコンテンツをデータ出力部４６０を介して二次格納媒体５００に格納し（Ｓ６０６）、一次格納媒体４２０に記録された原本を削除して、コンテンツの移動が完了する（Ｓ６１０）。
【００３９】
また、複製制御コードが複製不可（Ｎ＝０）であると、一次格納媒体４２０に格納されたコンテンツの複製制御コードは、複製制御コード変換部４５０により１回増加される（Ｓ６０７、Ｓ６０８）。複製制御コードが複製不可に設定されている場合、上記複製制御コードのコンテンツは、コンテンツが一次格納媒体に格納される前に１回複製可と複製不可とに分けられる。このとき、複製制御コードが本来複製不可の場合は、一次格納媒体４２０に格納されないので本発明に該当しないが、本来の複製可能回数が１回で、一次格納媒体４２０に格納されることで複製不可（Ｎ＝０）に変更された場合は、制御部４４０が、変換されたコンテンツをデータ出力部４６０を介して二次格納媒体５００に格納するとともに、一次格納媒体４２０に記録された原本を削除することでコンテンツの移動が終了される（Ｓ６０９、Ｓ６１０）。
【００４０】
このような方法によりコンテンツが移動されるので、コンテンツの数（複製を含めての数）は相変らず、移動以前の数と同一である。
【００４１】
本発明の他の実施形態では、コンテンツに予め移動決定ビットを設定しておき、その移動決定ビットに従ってコンテンツを移動させることもできる。
【００４２】
すなわち、図４に示したように、データパケットのヘッダー部分の同期部（ｓｙ）として使用される４ビット中、最下位ビットをコンテンツの移動決定ビットとして設定して、コンテンツが移動可能である場合は移動決定ビットを「１」に設定し、不可能である場合は「０」に設定する。
【００４３】
従って、コンテンツがＴＶ放送受信機４００の受信部４１０に受信されて一次格納媒体４２０に一時的に格納された後、使用者が二次格納媒体５００への移動を要求すると、制御部４４０は、コンテンツの移動決定ビットを読み出した後、その決定ビットに従って、移動が可能なコンテンツであるか否かを予め区分することができる。
【００４４】
すなわち、移動決定ビットが移動可能に設定されてないと、二次格納媒体５００への移動が不可能であるので、図６に示したような従来の複製方法で格納されるが、反対に、移動決定ビットが移動可能に設定されていると、図２及び図３に示された過程と同様にコンテンツを二次格納媒体５００に移動することができる。
【００４５】
また、本発明の他の実施形態として、ＴＶ放送受信機４００内に含まれた各ブロックを１つのプロセッサとして構成するか、移動方法をプロセッサ内にプログラミングすることで、コンテンツの移動を必要とするあらゆる分野に適用することができる。
【００４６】
上述したコンテンツの移動方法においては、放送局から送出されたコンテンツをＴＶ放送受信機４００が受信して格納媒体に格納している場合、コピープロジェクションにより使用者が他の格納媒体にコンテンツを移動する方法について説明したが、ＴＶは格納媒体を自身に内蔵するＰＶＲ（Personal Video Recoder）に代替することが可能で、ＰＣ（Personal Computer）、ＤＶＤ（Digital Video Disc）、ＤＶＨＳ（Digital Video Home System）などのような外部機器を格納媒体として利用することもできる。この場合、外部機器とはインタフェース（例えば、ＩＥＥＥ１３９４（Institute of Electrical and Electronics Engineers 1394）、ＵＳＢ（Universal Serial Bus）など）により連結されている環境で実現することができる。
【図面の簡単な説明】
【００４７】
【図１】本発明に係るコンテンツの移動装置を示したブロック図である。
【図２】図１において、コンテンツの移動方法を示したフローチャートである。
【図３】図２において、コンテンツの移動段階を詳しく示したフローチャートである。
【図４】本発明に係るデータパケットのヘッダーを示した構成図である。
【図５】従来デジタル放送受信機の複製装置を示したブロック図である。
【図６】図５において、コンテンツの複製過程を示したフローチャートである。
【図７】従来データパケットのヘッダーを示した構成図である。
【符号の説明】
【００４８】
４００：ＴＶ放送受信機   ４１０：受信部
４２０：一次格納媒体   ４３０：複製制御コード分析部
４４０：制御部    ４５０：複製制御コード変換部
４６０：データ出力部   ５００：二次格納媒体
【図１】
2006073018.tif 000003
【図２】
2006073018.tif 000004
【図３】
2006073018.tif 000005
【図４】
2006073018.tif 000006
【図５】
2006073018.tif 000007
【図６】
2006073018.tif 000008
【図７】
2006073018.tif 000009